(57)【特許請求の範囲】
【請求項１】
収容部と、該収容部の上端にヒンジ部を介して延設された蓋部と、該蓋部の先端に延設された開閉補助部とを備える一体成形により形成される容器であって、
前記開閉補助部の基端部と先端部との間に前記収容部内に充填された内容物を振出すための開口を備え、前記蓋部の正面部の先端にはアゴが外側に突出して形成され、
前記開閉補助部の基端部に前記蓋部を閉状態とするための閉突起を、前記開閉補助部の先端部に前記蓋部を開状態とするための開突起をそれぞれ備える一方、
前記収容部の上部に前記開突起および前記閉突起が係合するための複数の掛止突起を設け、前記閉突起が前記掛止突起同士の間に係合し、閉状態とした際に、前記アゴが収容部の正面部上端に当接することを特徴とする、容器。
【発明の詳細な説明】
【技術分野】
【０００１】
本発明は、収容部と、その収容部の上端にヒンジ部を介して延設された蓋部と、その蓋部の先端に延設された開閉補助部とを備える一体成形により形成されるお菓子などを収容する容器に関する。
【背景技術】
【０００２】
従来、粒ガム（内容物）を収容する容器１は、図５に示すように、樹脂製の収容部２と、その収容部２の上部角に形成され樹脂製の蓋部３とを備える。収容部２は、さらに、収容部本体２Ａと収容部蓋部２Ｂとから構成され、両者を組み合わせて接着剤などで固設して形成される。収容部２の上部角には開口を設け、その開口覆うようにスライド自在の蓋部３を嵌め付ける。
そして、粒ガムを容器１から取り出すには、蓋部３をスライドさせて開口を露出させた状態で、収容部２を手で把持して開口を下向きに傾けて振ることによって、粒ガムを開口から適量取り出す（例えば特許文献１）。
【０００３】
【特許文献１】特開平９−３２３７６８号公報
【発明の開示】
【発明が解決しようとする課題】
【０００４】
しかし、このような容器１は、収容部本体２Ａ、収容部蓋部２Ｂ、蓋部３といった３つの部品で構成されているので、それぞれの部品を形成するための形成工程が必要となるととともに、収容部本体２Ａと収容部蓋部２Ｂとを組み合わせて接着する工程や蓋部３を嵌めつける工程など複数の組立工程が必要となる。したがって、容器１の製造が複雑となり、多くの製造時間や人手を要するという問題があった。
そこでこの発明の目的は、製造が簡単な容器を提供することにある。
【課題を解決するための手段】
【０００５】
このため請求項１に記載の発明は、収容部と、該収容部の上端にヒンジ部を介して延設された蓋部と、該蓋部の先端に延設された開閉補助部とを備える一体成形により形成される容器であって、
前記開閉補助部の基端部と先端部との間に前記収容部内に充填された内容物を振出すための開口を備え、前記蓋部の正面部の先端にはアゴが外側に突出して形成され、
前記開閉補助部の基端部に前記蓋部を閉状態とするための閉突起を、前記開閉補助部の先端部に前記蓋部を開状態とするための開突起をそれぞれ備える一方、
前記収容部の上部に前記開突起および前記閉突起が係合するための複数の掛止突起を設け、前記閉突起が前記掛止突起同士の間に係合し、閉状態とした際に、前記アゴが収容部の正面部上端に当接することを特徴とする。
【発明の効果】
【０００７】
請求項１に記載の発明によれば、収容部と、その収容部の上端にヒンジ部を介して延設された蓋部と、その蓋部の先端に延設された開閉補助部とを備える一体成形により形成される容器であって、開閉補助部の基端部と先端部との間に収容部内に充填された内容物を振出すための開口を備え、前記蓋部の正面部の先端にはアゴが外側に突出して形成され、
前記開閉補助部の基端部に前記蓋部を閉状態とするための閉突起を、前記開閉補助部の先端部に前記蓋部を開状態とするための開突起をそれぞれ備える一方、
前記収容部の上部に前記開突起および前記閉突起が係合するための複数の掛止突起を設け、前記閉突起が前記掛止突起同士の間に係合し、閉状態とした際に、前記アゴが収容部の正面部上端に当接するので、従来のように複数の部品を形成する形成工程や形成された複数の部品を組み合わせて接着したり嵌めつけたりする組立工程を簡略化することができる。これにより、容器の製造が容易となり、製造時間の短縮や省力化をすることができる。したがって、製造が簡単な容器を提供するができる。
【０００８】
また、本願発明によれば、開閉補助部の基端部に前記蓋部を閉状態とするための閉突起を、開閉補助部の先端部に蓋部を開状態とするための開突起をそれぞれ備える一方、収容部の上部に開突起および閉突起が係合するための掛止突起を設けたので、簡単な構成で蓋部を開状態または閉状態に確実に保持させることができる。
【発明を実施するための最良の形態】
【０００９】
以下、図面を参照しつつ、この発明を実施するための最良の形態について詳述する。
図１（ａ）にはこの発明の容器の一例としての粒ガム（内容物）を収容した容器１１の正面図を、図１（ｂ）には左側面図を、図１（ｃ）には背面図を示す。
容器１１は、樹脂によって一体成形された、収容部１２と、収容部１２の上端にヒンジ部１３を介して延設された蓋部１４などを備える。なお、蓋部１４の正面側には目玉などの表示シール１８が添付されて、後述する開口１５Ｃを口と見立てて、キャラクターの顔としての外観を呈している（図３参照）。
【００１０】
図２は図１（ａ）のＡ矢視断面図、図３は蓋部付近の概略正面図である。
収容部１２は、正面部１２Ａと背面部１２Ｂ、底面部１２Ｃ、および正面部１２Ａと背面部１２Ｂとをつなぐ１対の側面部によって構成される。そして、正面部１２Ａの上部内側には幅方向に沿って一定長さだけ、後述する開突起１５Ｂおよび閉突起１５Ａが係合するための掛止突起１６Ａ，１６Ｂが形成されている。
なお、背面部１２Ｂの上端には薄板状のヒンジ部１３を介して蓋部１４が形成されている。
【００１１】
蓋部１４は、正面部１４Ａ、背面部１４Ｂ、および正面部１４Ａと背面部１４Ｂとをつなぐ一対の側面部１４Ｃとで構成されている。
正面部１４Ａは上部にいくにしたがって幅狭となるとともに容器１１の内側方向に向かって湾曲して構成されている。正面部１４Ａの先端にはアゴ１４Ａａが形成され、正面部１４Ａから一定量だけ外側に突出して形成される。そして、アゴ１４Ａａの基端側でかつ、正面部１４Ａの先端部分には開閉補助部１５が下方に向かって延設される。
開閉補助部１５は略矩形状で、基端部側中央付近に蓋部１４を閉状態に保持するための閉突起１５Ａを、先端部側中央付近に蓋部１４を開状態に保持するための開突起１５Ｂをそれぞれ備え、閉突起１５Ａと開突起１５Ｂとの間には、収容部１２内に充填された粒ガムを振出すための開口１５Ｃが形成されている。
【００１２】
背面部１４Ｂは外側に緩やかに湾曲して構成され、下端はヒンジ部１３へと続いている。なお、正面部１４Ａと背面部１４Ｂとは曲面部１４Ｄを介して連続的に設けられている。
掛止突起１６Ａ，１６Ｂの間には、蓋部１４の開状態において、開突起１５Ｂが、また、蓋部１４の閉状態において閉突起１５Ａが嵌り蓋部１４を閉状態および開状態に保持するように構成されている。
【００１３】
すなわち、この例の容器１１は、収容部１２と、その収容部１２の上端にヒンジ部１３を介して延設された蓋部１４と、その蓋部１４の先端に延設された開閉補助部１５とを備える一体成形により形成される容器１１であって、開閉補助部１５の基端部と先端部との間に収容部１２内に充填された粒ガム（内容物）を振出すための開口１５Ｃを備える。
また、開閉補助部１５の基端部に蓋部１４を閉状態とするための閉突起１５Ａを、開閉補助部１５の先端部に蓋部１４を開状態とするための開突起１５Ｂをそれぞれ備える一方、収容部１２の上部に開突起１５Ｂおよび閉突起１５Ａが係合するための掛止突起１６Ａ，１６Ｂを設けたものである。
【００１４】
このように構成された容器１１の蓋部１４を開いて収容された粒ガムを取り出す方法について図１〜３を参照しつつ、図４（ａ），（ｂ）を用いて説明する。
まず、使用者が収容部１２を手で把持し、親指を蓋部１４の正面部１４Ａの湾曲にあててヒンジ部１３を支点として背面部１４Ｂ側に押す（なお、この状態では開口１５Ｃは収容部１２内に隠れている）。
すると、図４（ａ）に示す閉状態から、掛止突起１６Ａ，１６Ｂに係合していた閉突起１５Ａが掛止突起１６Ａを乗り越え、さらに開突起１５Ｂが掛止突起１６Ｂを乗り越えて掛止突起１６Ａと掛止突起１６Ｂとの間に係合して蓋部１４の時計回りの回動が停止する（開状態：図４（ｂ））。
【００１５】
この開状態では、開閉補助部１５の開口１５Ｃが外部に露出する。そして、開口１５Ｃが下向きとなるように容器１１を傾けて振り、適量の粒ガムを振り出す。このとき、蓋部１４の両側面部１４Ｃは閉塞されているので、容器１１を振っても粒ガムが誤って開口１５Ｃ以外から振り出されることはない。
その後、背面部１４Ｂ側に指を掛けて蓋部１４を反時計回りに回動させる。すると、開突起１５Ｂが掛止突起１６Ｂを乗り越え、さらに回動して、閉突起１５Ａが掛止突起１６Ａを乗り越えて掛止突起１６Ａと掛止突起１６Ｂとの間に係合して停止し、閉状態に戻る。この閉状態では、アゴ１４Ａａの下面が正面部１２Ａの上端に当接するので、蓋部１４の停止を確実なものとすることができる。
【００１６】
このように、容器１１全体を一体成形によって形成するので、従来のように、複数の部品を形成して、それらを組み立てるといった工程を簡略化することができる。
また、蓋部１４を開閉ロックする手段は、閉突起１５Ａ，閉突起１５Ａおよび掛止突起１６Ａ，１６Ｂを用いることに限定されるものではない。
なお、上述の例では、この発明の容器の一例として、粒ガムを収容する容器について説明したが、内容物としては、粒ガムに限定されるものではなく、例えば、タブレット、粒チョコ、キャンディなどであってもよいし、食品に限らず、例えば、園芸用の栄養剤などや、ボルト・ナットなどの取り付け具などであってもよい。また、内容物の形態は粒状に限定されるものではなく、顆粒状、粉状などであってもよい。
【図面の簡単な説明】
【００１７】
【図１】この発明の容器の一例を示す粒ガムを収容した容器の（ａ）は正面図、（ｂ）は左側面図、（ｃ）は背面図である。
【図２】図１（ａ）のＡ矢視断面図である。
【図３】蓋部付近の概略正面図である。
【図４】（ａ）は蓋部を閉状態としたときの部分断面図、（ｂ）は蓋部を開状態としたときの部分断面図である。
【図５】従来の容器の一例を示す斜視図である。
【符号の説明】
【００１８】
１１    容器
１２    収容部
１２Ａ，１４Ａ    正面部
１２Ｂ，１４Ｂ    背面部
１２Ｃ    底面部
１３    ヒンジ部
１４    蓋部
１４Ａａ    アゴ
１４Ｃ    側面部
１４Ｄ    曲面部
１５    開閉補助部
１５Ａ    閉突起
１５Ｂ    開突起
１５Ｃ    開口
１６Ａ，１６Ｂ    掛止突起
１８    表示シール
【図１】
0004770349.tif 000002
【図２】
0004770349.tif 000003
【図３】
0004770349.tif 000004
【図４】
0004770349.tif 000005
【図５】
0004770349.tif 000006